(57)【要約】【課題】携帯用電子機器を容易に傾斜して起立させる。【解決手段】表示部と、表示部を収容する筐体とを備える。筐体は、表示部を収容する本体部１１０、および、本体部１１０に隣接して本体部１１０と着脱するカバー部を含む。本体部１１０またはカバー部は、本体部１１０とカバー部とが組み合わされた状態において筐体内に収容され、かつ、カバー部が本体部１１０から離脱した状態において本体部１１０を傾斜して起立させるように支持する接地部１５０を有する。接地部１５０は、接地部１５０を有する本体部１１０または接地部１５０を有するカバー部において、接地部１５０と隣接している部分より大きな摩擦抵抗を有する。【選択図】図５
2014049876.tif 000002
【特許請求の範囲】
【請求項１】
表示部と、
前記表示部を収容する筐体と
を備え、
前記筐体は、前記表示部を収容する本体部、および、前記本体部に隣接して前記本体部と着脱するカバー部を含み、
前記本体部または前記カバー部は、前記本体部と前記カバー部とが組み合わされた状態において前記筐体内に収容され、かつ、前記カバー部が前記本体部から離脱した状態において前記本体部を傾斜して起立させるように支持する接地部を有し、
前記接地部は、前記接地部を有する前記本体部または前記接地部を有する前記カバー部において、前記接地部と隣接している部分より大きな摩擦抵抗を有する、携帯用電子機器。
【請求項２】
前記接地部が、前記本体部の前記カバー部側の端部に設けられ、
前記カバー部が、前記接地部を収容する中空部を有する、請求項１に記載の携帯用電子機器。
【請求項３】
前記接地部が、前記カバー部の前記本体部側の端部に設けられ、
前記本体部が、前記接地部を収容する中空部を有する、請求項１に記載の携帯用電子機器。
【請求項４】
前記接地部が凹凸構造を有する、請求項２または３に記載の携帯用電子機器。
【請求項５】
前記接地部が多面体構造を有する、請求項２に記載の携帯用電子機器。
【請求項６】
前記本体部と前記カバー部とが蝶番で互いに接続され、
前記蝶番を中心に回動して前記本体部から離脱した前記カバー部に前記本体部が寄りかかることにより、前記本体部が傾斜して起立するように支持される、請求項３に記載の携帯用電子機器。
【発明の詳細な説明】
【技術分野】
【０００１】
本発明は、携帯用電子機器に関する。
【背景技術】
【０００２】
通話機器を載置面に対して傾斜して自立させられるようにした通話機器用スタンドを開示した先行文献として、特開２００２−７７３４７号公報(特許文献１)がある。
【０００３】
特許文献１に記載された通話機器用スタンドにおいては、通話機器の裏面に取り付けた取付部材と、開脚状態と閉脚状態とを取り得るように構成したスタンド本体と、これらスタンド本体と取付部材とを着脱可能に連結することができる連結手段とを具備し、取付部材を介して開脚状態にあるスタンド本体に連結することにより、通話機器を載置面に対して傾斜して自立させられるようにしている。
【先行技術文献】
【特許文献】
【０００４】
【特許文献１】特開２００２−７７３４７号公報
【発明の概要】
【発明が解決しようとする課題】
【０００５】
電子機器本体を起立させるスタンドを電子機器本体とは別体で構成した場合、取り扱いが煩雑になり容易に電子機器本体を傾斜して起立させることができない。
【０００６】
本発明は上記の問題点に鑑みてなされたものであって、容易に傾斜して起立可能な携帯用電子機器を提供することを目的とする。
【課題を解決するための手段】
【０００７】
本発明に基づく携帯用電子機器は、表示部と、表示部を収容する筐体とを備える。筐体は、表示部を収容する本体部、および、本体部に隣接して本体部と着脱するカバー部を含む。本体部またはカバー部は、本体部とカバー部とが組み合わされた状態において筐体内に収容され、かつ、カバー部が本体部から離脱した状態において本体部を傾斜して起立させるように支持する接地部を有する。接地部は、接地部を有する本体部または接地部を有するカバー部において、接地部と隣接している部分より大きな摩擦抵抗を有する。
【０００８】
本発明の一形態においては、接地部が、本体部のカバー部側の端部に設けられる。カバー部が、接地部を収容する中空部を有する。
【０００９】
本発明の一形態においては、接地部が、カバー部の本体部側の端部に設けられる。本体部が、接地部を収容する中空部を有する。
【００１０】
本発明の一形態においては、接地部が凹凸構造を有する。
本発明の一形態においては、接地部が多面体構造を有する。
【００１１】
本発明の一形態においては、本体部とカバー部とが蝶番で互いに接続される。蝶番を中心に回動して本体部から離脱したカバー部に本体部が寄りかかることにより、本体部が傾斜して起立するように支持される。
【発明の効果】
【００１２】
本発明によれば、携帯用電子機器を容易に傾斜して起立させることができる。
【図面の簡単な説明】
【００１３】
【図１】本発明の実施形態１に係る携帯電話機の外観を示す正面図である。
【図２】図１の携帯電話機を矢印ＩＩ方向から見た図である。
【図３】同実施形態に係る携帯電話機においてカバー部を本体部から離脱させた状態を示す正面図である。
【図４】図３の携帯電話機を矢印ＩＶ方向から見た図である。
【図５】同実施形態に係る携帯電話器を傾斜して起立させた状態を示す側面図である。
【図６】同実施形態の第１変形例に係る携帯電話機の接地部の凹凸構造を示す図である。
【図７】同実施形態の第２変形例に係る携帯電話機の接地部の凹凸構造を示す図である。
【図８】同実施形態の第３変形例に係る携帯電話機の接地部の凹凸構造を示す図である。
【図９】同実施形態の第４変形例に係る携帯電話機の本体部の構成を示す側面図である。
【図１０】第４変形例の本体部を傾斜して起立させた状態を示す側面図である。
【図１１】本発明の実施形態２に係る携帯電話機の外観を示す正面図である。
【図１２】図１１の携帯電話機を矢印ＸＩＩ方向から見た図である。
【図１３】同実施形態に係る携帯電話機においてカバー部を本体部から離脱させている途中の状態を示す正面図である。
【図１４】同実施形態に係る携帯電話機において、カバー部を本体部から離脱させて、本体部を傾斜して起立させた状態を示す正面図である。
【図１５】図１４の状態の携帯電話機を矢印ＸＶ方向から見た図である。
【図１６】本発明の実施形態３に係る携帯電話機の外観を示す背面図である。
【図１７】図１６の携帯電話機を矢印ＸＶＩＩ方向から見た図である。
【図１８】同実施形態に係る携帯電話機においてカバー部を本体部から離脱させている途中の状態を示す側面図である。
【図１９】同実施形態に係る携帯電話機において、カバー部を本体部から離脱させて、本体部を傾斜して起立させた状態を示す側面図である。
【図２０】本発明の実施形態４に係る携帯電話機の外観を示す背面図である。
【図２１】図２０の携帯電話機を矢印ＸＸＩ方向から見た図である。
【図２２】同実施形態に係る携帯電話機においてカバー部を本体部から離脱させている途中の状態を示す側面図である。
【図２３】同実施形態に係る携帯電話機において、カバー部を本体部から離脱させて、本体部を傾斜して起立させた状態を示す側面図である。
【発明を実施するための形態】
【００１４】
以下、本発明の実施形態に係る携帯用電子機器について図を参照して説明する。以下の実施形態の説明においては、図中の同一または相当部分には同一符号を付して、その説明は繰り返さない。なお、以下の実施形態においては、携帯用電子機器として携帯電話機を例示して説明するが、携帯用電子機器は携帯電話機に限られず、傾斜して起立させて使用する用途を有する小型電子機器であればよい。
【００１５】
(実施形態１)
図１は、本発明の実施形態１に係る携帯電話機の外観を示す正面図である。図２は、図１の携帯電話機を矢印ＩＩ方向から見た図である。
【００１６】
図１，２に示すように、本発明の実施形態１に係る携帯電話機１００は、表示部１２０と、表示部１２０を収容する筺体とを備える。筺体は、表示部１２０を収容する本体部１１０、および、本体部１１０に隣接して本体部１１０と着脱するカバー部１３０を含む。
【００１７】
表示部１２０は、画像などを表示するパネルであり、たとえば液晶表示パネルである。本体部１１０およびカバー部１３０の骨格部分は、樹脂の射出成型品または金属のプレス成型品などから構成される。
【００１８】
図３は、本実施形態に係る携帯電話機においてカバー部を本体部から離脱させた状態を示す正面図である。図４は、図３の携帯電話機を矢印ＩＶ方向から見た図である。
【００１９】
図３，４に示すように、本実施形態に係る携帯電話機１００においては、本体部１１０に対してカバー部１３０を図３中の矢印で示す方向に引き離すことにより、カバー部１３０が本体部１１０から離脱する。
【００２０】
本体部１１０は、カバー部１３０側に膨出部１４０を有している。膨出部１４０は、周方向において本体部１１０より一回り小さい。よって、本体部１１０と膨出部１４０との境界の全周に段差がある。カバー部１３０が本体部１１０に組み合わされた状態において、カバー部１３０の本体部１１０側の端面と上記段差とが接触する。
【００２１】
図４に示すように、膨出部１４０は、カバー部１３０側の端部に傾斜面部を有している。この傾斜面部は、表示部１２０の表示面と平行な面１に対して、角度(９０°−θ)で交差している。本実施形態においては、膨出部１４０がカバー部１３０側の端部に傾斜面部を有しているが、膨出部１４０の形状はこれに限られず、膨出部１４０がカバー部１３０側の端部に平坦面部を有していてもよい。
【００２２】
膨出部１４０の傾斜面部に、接地部１５０が取り付けられている。接地部１５０は、本体部１１０に含まれる。すなわち、接地部１５０は、本体部１１０のカバー部１３０側の端部に設けられている。
【００２３】
本実施形態においては、接地部１５０は、シリコンゴムまたはブチルゴムなどのゴムからなる。ただし、接地部１５０の材料はゴムに限られず、接地部１５０と隣接している部分である膨出部１４０を構成する材料より大きな摩擦抵抗を有する材料であればよい。
【００２４】
本実施形態においては、ゴム片からなる接地部１５０が、接着剤により膨出部１４０の傾斜面部に接着されている。ただし、接地部１５０の構成は上記に限られず、たとえば、膨出部１４０の傾斜面部にゴムを含む塗料を塗布して接地部１５０を構成してもよい。
【００２５】
本実施形態においては、接地部１５０は、側面視において平行四辺形状の外形を有している。よって、接地部１５０のカバー部１３０側の端部に、膨出部１４０の傾斜面部と略平行な傾斜面部が形成される。すなわち、表示部１２０の表示面に直交する方向２と、接地部１５０の傾斜面部とは角度θで交差する。この角度θとしては、予め所望の角度を設定しておく。
【００２６】
なお、膨出部１４０がカバー部１３０側の端部に平坦面部を有している場合には、接地部１５０は、側面視において台形状または三角形状の外形を有する。この場合にも、接地部１５０のカバー部１３０側の端部に傾斜面部が形成される。
【００２７】
図１，２に示すように、膨出部１４０および接地部１５０は、本体部１１０とカバー部１３０とが組み合わされた状態において筐体内に収容される。本実施形態においては、カバー部１３０が、膨出部１４０および接地部１５０を収容する中空部を有している。
【００２８】
膨出部１４０は、カバー部１３０と緩やかに嵌合する。そのため、本体部１１０とカバー部１３０とが組み合わされた状態において、カバー部１３０は本体部１１０と嵌合して一体になる。
【００２９】
図５は、本実施形態に係る携帯電話器を傾斜して起立させた状態を示す側面図である。図５に示すように、携帯電話機１００を傾斜して起立させる際には、カバー部１３０を取り外して本体部１１０から離脱させて、接地部１５０の傾斜面部が載置面１０に接触するように本体部１１０を載置する。
【００３０】
上述のように、接地部１５０の傾斜面部は、表示部１２０の表示面に直交する方向２と角度θで交差するため、接地部１５０により支持された携帯電話機１００の表示部１２０の表示面と平行な面１は、載置面１０と角度(９０°−θ)で交差する。
【００３１】
接地部１５０は膨出部１４０を構成する材料より大きな摩擦抵抗を有しているため、接地部１５０が設けられずに膨出部１４０の傾斜面部と載置面１０とが接触している場合と比較して、本体部１１０は載置面１０に対して滑りにくい。そのため、接地部１５０の傾斜面部を載置面１０に接触させて本体部１１０を支持させることにより、安定して携帯電話機１００を傾斜して起立させることができる。
【００３２】
なお、本体部１１０は、図５に示すように角度(９０°−θ)で傾斜している際に起立可能な位置に重心を有するように、予め設計されている。
【００３３】
上記の構成により、カバー部１３０を取り外して接地部１５０の傾斜面部が載置面１０に接触するように携帯電話機１００を載置するだけで、携帯電話機１００を容易に傾斜して起立させることができる。
【００３４】
なお、接地部１５０は、種々の構造を有していてもよい。たとえば、粘着性または吸着性を有する部材が傾斜面部に設けられていてもよい。この場合、接地部１５０と載置面１０との間の摩擦抵抗がさらに大きくなり、安定して携帯電話機１００を傾斜して起立させることができる。
【００３５】
また、接地部１５０は、凹凸構造を有していてもよい。図６は、本実施形態の第１変形例に係る携帯電話機の接地部の凹凸構造を示す図である。図７は、本実施形態の第２変形例に係る携帯電話機の接地部の凹凸構造を示す図である。図８は、本実施形態の第３変形例に係る携帯電話機の接地部の凹凸構造を示す図である。
【００３６】
図６に示すように、第１変形例の接地部１５０ａの傾斜面部には、互いに平行に延在する凸部１５１ａと凹部１５２ａとが交互に設けられている。図７に示すように、第２変形例の接地部１５０ｂの傾斜面部には、格子状の凸部１５１ｂおよび矩形状の凹部１５２ｂが設けられている。図８に示すように、第３変形例の接地部１５０ｃの傾斜面部には、ドット状の凸部１５１ｃおよびその周囲に凹部１５２ｃが設けられている。
【００３７】
上記の第１〜３変形例の接地部１５０ａ〜ｃにおいては、凸部１５１ａ〜ｃと凹部１５２ａ〜ｃとの境界のエッジにより滑り止めの効果を得られるため、安定して携帯電話機を傾斜して起立させることができる。
【００３８】
さらに、接地部１５０は、多面体構造を有していてもよい。図９は、本実施形態の第４変形例に係る携帯電話機の本体部の構成を示す側面図である。
【００３９】
図９に示すように、第４変形例の本体部１１０ｄには、カバー部側に膨出部１４０ｄが設けられている。膨出部１４０ｄのカバー部側の端部には、多面体部が形成されている。具体的には、互いに隣接した５つの面からなる５面体部が形成されている。
【００４０】
膨出部１４０ｄの多面体部に、接地部１５０ｄが取り付けられている。接地部１５０ｄのカバー部側の端部には、膨出部１４０ｄの多面体部の形状に倣った多面体部が形成されている。
【００４１】
図１０は、第４変形例の本体部を傾斜して起立させた状態を示す側面図である。図１０に示すように、接地部１５０ｄの多面体部のうちの１面部１５１ｄが載置面１０に接触するように本体部１１０ｄを載置する。このようにした場合にも、携帯電話機を傾斜して起立させることができる。また、多面体部のうちの載置面１０と接触する１面部を変更することにより、携帯電話機の傾斜角度を変更することができる。なお、本体部１１０ｄは、予め設定された携帯電話機の傾斜角度において起立可能な位置に重心を有するように設計されている。
【００４２】
以下、本発明の実施形態２に係る携帯電話機について説明する。本実施形態に係る携帯電話機２００は、本体部２１０とカバー部２３０とが筺体の側面に取り付けられた蝶番で接続されている点が、実施形態１に係る携帯電話機１００と主に異なるため、実施形態１の携帯電話機１００と同様である構成については説明を繰り返さない。
【００４３】
(実施形態２)
図１１は、本発明の実施形態２に係る携帯電話機の外観を示す正面図である。図１２は、図１１の携帯電話機を矢印ＸＩＩ方向から見た図である。
【００４４】
図１１，１２に示すように、本発明の実施形態２に係る携帯電話機２００は、表示部２２０と、表示部２２０を収容する筺体とを備える。筺体は、表示部２２０を収容する本体部２１０、および、本体部２１０に隣接して本体部２１０と着脱するカバー部２３０を含む。本体部２１０とカバー部２３０とは、蝶番２４０で互いに接続されている。蝶番２４０は、筺体の側面に取り付けられている。
【００４５】
図１３は、本実施形態に係る携帯電話機においてカバー部を本体部から離脱させている途中の状態を示す正面図である。図１４は、本実施形態に係る携帯電話機において、カバー部を本体部から離脱させて、本体部を傾斜して起立させた状態を示す正面図である。図１５は、図１４の状態の携帯電話機を矢印ＸＶ方向から見た図である。図１５においては、簡単のため、カバー部２３０を図示していない。
【００４６】
図１３，１４に示すように、本実施形態に係る携帯電話機２００においては、本体部２１０に対してカバー部２３０を、蝶番２４０を中心に図１３中の矢印で示す方向に回転させることにより、カバー部２３０が本体部２１０から離脱する。すなわち、カバー部２３０の長手方向の一方端を中心としてカバー部２３０の長手方向の他方端側から本体部２１０に対して離隔するようにカバー部２３０を回転させて、カバー部２３０を本体部２１０の側方に位置させることにより、カバー部２３０を本体部２１０から離脱させる。
【００４７】
図１５に示すように、本体部２１０のカバー部２３０側に、接地部２５０が取り付けられている。接地部２５０は、本体部２１０に含まれる。すなわち、接地部２５０が、本体部２１０のカバー部２３０側の端部に設けられている。
【００４８】
接地部２５０は、シリコンゴムまたはブチルゴムなどのゴムからなる。ただし、接地部２５０の材料はゴムに限られず、接地部２５０と隣接している部分である本体部２１０の骨格部分を構成する材料より大きな摩擦抵抗を有する材料であればよい。本実施形態においては、ゴム片からなる接地部２５０が、接着剤により本体部２１０に接着されている。
【００４９】
本実施形態においては、接地部２５０は、側面視において三角形状の外形を有する。よって、接地部２５０のカバー部２３０側の端部に傾斜面部が形成される。表示部２２０の表示面に直交する方向２と、接地部２５０の傾斜面部とは角度θで交差する。この角度θとしては、予め所望の角度を設定しておく。
【００５０】
図１１，１２に示すように、接地部２５０は、本体部２１０とカバー部２３０とが組み合わされた状態において筐体内に収容される。本実施形態においては、カバー部２３０が、接地部２５０を収容する中空部を有している。
【００５１】
図１５に示すように、携帯電話機２００を傾斜して起立させる際には、カバー部２３０を回転させて本体部２１０から離脱させ、接地部２５０の傾斜面部が載置面１０に接触するように本体部２１０を載置する。
【００５２】
上述のように、接地部２５０の傾斜面部は、表示部２２０の表示面に直交する方向２と角度θで交差するため、接地部２５０により支持された携帯電話機２００の表示部２２０の表示面と平行な面１は、載置面１０と角度(９０°−θ)で交差する。
【００５３】
接地部２５０は本体部２１０の骨格部分を構成する材料より大きな摩擦抵抗を有しているため、接地部２５０が設けられずに本体部２１０と載置面１０とが接触している場合と比較して、本体部２１０は載置面１０に対して滑りにくい。そのため、接地部２５０の傾斜面部を載置面１０に接触させて本体部２１０を支持させることにより、安定して携帯電話機２００を傾斜して起立させることができる。
【００５４】
なお、本体部２１０は、図１５に示すように角度(９０°−θ)で傾斜している際に起立可能な位置に重心を有するように、予め設計されている。
【００５５】
上記の構成により、カバー部２３０を回転させて接地部２５０の傾斜面部が載置面１０に接触するように携帯電話機２００を載置するだけで、携帯電話機２００を容易に傾斜して起立させることができる。
【００５６】
以下、本発明の実施形態３に係る携帯電話機について説明する。本実施形態に係る携帯電話機３００は、本体部３１０とカバー部３３０とが筺体の背面に取り付けられた蝶番で接続されている点のみ、実施形態２に係る携帯電話機２００と主に異なるため、他の構成については説明を繰り返さない。
【００５７】
(実施形態３)
図１６は、本発明の実施形態３に係る携帯電話機の外観を示す背面図である。図１７は、図１６の携帯電話機を矢印ＸＶＩＩ方向から見た図である。
【００５８】
図１６，１７に示すように、本発明の実施形態３に係る携帯電話機３００は、表示部３２０と、表示部３２０を収容する筺体とを備える。筺体は、表示部３２０を収容する本体部３１０、および、本体部３１０に隣接して本体部３１０と着脱するカバー部３３０を含む。本体部３１０とカバー部３３０とは、蝶番３４０で互いに接続されている。蝶番３４０は、筺体の背面に取り付けられている。
【００５９】
図１８は、本実施形態に係る携帯電話機においてカバー部を本体部から離脱させている途中の状態を示す側面図である。図１９は、本実施形態に係る携帯電話機において、カバー部を本体部から離脱させて、本体部を傾斜して起立させた状態を示す側面図である。
【００６０】
図１８，１９に示すように、本実施形態に係る携帯電話機３００においては、本体部３１０に対してカバー部３３０を、蝶番３４０を中心に図１８中の矢印で示す方向に回転させることにより、カバー部３３０が本体部３１０から離脱する。すなわち、カバー部３３０の短手方向の一方端を中心としてカバー部３３０の短手方向の他方端側から本体部３１０に対して離隔するようにカバー部３３０を回転させて、カバー部３３０を本体部３１０の背面側に位置させることにより、カバー部３３０を本体部３１０から離脱させる。
【００６１】
本体部３１０のカバー部３３０側に、接地部３５０が取り付けられている。接地部３５０は、本体部３１０に含まれる。すなわち、接地部３５０が、本体部３１０のカバー部３３０側の端部に設けられている。
【００６２】
接地部３５０は、シリコンゴムまたはブチルゴムなどのゴムからなる。ただし、接地部３５０の材料はゴムに限られず、接地部３５０と隣接している部分である本体部３１０の骨格部分を構成する材料より大きな摩擦抵抗を有する材料であればよい。本実施形態においては、ゴム片からなる接地部３５０が、接着剤により本体部３１０に接着されている。
【００６３】
本実施形態においては、接地部３５０は、側面視において三角形状の外形を有する。よって、接地部３５０のカバー部３３０側の端部に傾斜面部が形成される。表示部３２０の表示面に直交する方向２と、接地部３５０の傾斜面部とは角度θで交差する。この角度θとしては、予め所望の角度を設定しておく。
【００６４】
図１６，１７に示すように、接地部３５０は、本体部３１０とカバー部３３０とが組み合わされた状態において筐体内に収容される。本実施形態においては、カバー部３３０が、接地部３５０を収容する中空部を有している。
【００６５】
図１９に示すように、携帯電話機３００を傾斜して起立させる際には、カバー部３３０を回転させて本体部３１０から離脱させ、接地部３５０の傾斜面部が載置面１０に接触するように本体部３１０を載置する。
【００６６】
上述のように、接地部３５０の傾斜面部は、表示部３２０の表示面に直交する方向２と角度θで交差するため、接地部３５０により支持された携帯電話機３００の表示部３２０の表示面と平行な面１は、載置面１０と角度(９０°−θ)で交差する。
【００６７】
接地部３５０は本体部３１０の骨格部分を構成する材料より大きな摩擦抵抗を有しているため、接地部３５０が設けられずに本体部３１０と載置面１０とが接触している場合と比較して、本体部３１０は載置面１０に対して滑りにくい。そのため、接地部３５０の傾斜面部を載置面１０に接触させて本体部３１０を支持させることにより、安定して携帯電話機３００を傾斜して起立させることができる。
【００６８】
なお、本体部３１０は、図１９に示すように角度(９０°−θ)で傾斜している際に起立可能な位置に重心を有するように、予め設計されている。
【００６９】
上記の構成により、カバー部３３０を回転させて接地部３５０の傾斜面部が載置面１０に接触するように携帯電話機３００を載置するだけで、携帯電話機３００を容易に傾斜して起立させることができる。
【００７０】
以下、本発明の実施形態４に係る携帯電話機について説明する。本実施形態に係る携帯電話機４００は、接地部４５０がカバー部４３０に取り付けられている点のみ、実施形態３に係る携帯電話機３００と主に異なるため、他の構成については説明を繰り返さない。
【００７１】
(実施形態４)
図２０は、本発明の実施形態４に係る携帯電話機の外観を示す背面図である。図２１は、図２０の携帯電話機を矢印ＸＸＩ方向から見た図である。
【００７２】
図２０，２１に示すように、本発明の実施形態４に係る携帯電話機４００は、表示部４２０と、表示部４２０を収容する筺体とを備える。筺体は、表示部４２０を収容する本体部４１０、および、本体部４１０に隣接して本体部４１０と着脱するカバー部４３０を含む。本体部４１０とカバー部４３０とは、蝶番４４０で互いに接続されている。蝶番４４０は、筺体の背面に取り付けられている。
【００７３】
図２２は、本実施形態に係る携帯電話機においてカバー部を本体部から離脱させている途中の状態を示す側面図である。図２３は、本実施形態に係る携帯電話機において、カバー部を本体部から離脱させて、本体部を傾斜して起立させた状態を示す側面図である。
【００７４】
図２２，２３に示すように、本実施形態に係る携帯電話機４００においては、本体部４１０に対してカバー部４３０を、蝶番４４０を中心に図２２中の矢印で示す方向に回転させることにより、カバー部４３０が本体部４１０から離脱する。すなわち、カバー部４３０の短手方向の一方端を中心としてカバー部４３０の短手方向の他方端側から本体部４１０に対して離隔するようにカバー部４３０を回転させて、カバー部４３０を本体部４１０の背面側に位置させることにより、カバー部４３０を本体部４１０から離脱させる。
【００７５】
カバー部４３０の本体部４１０側に、接地部４５０が取り付けられている。接地部４５０は、カバー部４３０に含まれる。すなわち、接地部４５０が、カバー部４３０の本体部４１０側の端部に設けられている。
【００７６】
接地部４５０は、シリコンゴムまたはブチルゴムなどのゴムからなる。ただし、接地部４５０の材料はゴムに限られず、接地部４５０と隣接している部分であるカバー部４３０の骨格部分を構成する材料より大きな摩擦抵抗を有する材料であればよい。本実施形態においては、ゴム片からなる接地部４５０が、接着剤によりカバー部４３０に接着されている。
【００７７】
本実施形態においては、接地部４５０は、側面視において矩形状の外形を有する。よって、接地部４５０の本体部４１０側の端部に平坦面部が形成される。
【００７８】
図２０，２１に示すように、接地部４５０は、本体部４１０とカバー部４３０とが組み合わされた状態において筐体内に収容される。本実施形態においては、本体部４１０が、接地部４５０を収容する中空部を有している。
【００７９】
図２３に示すように、携帯電話機４００を傾斜して起立させる際には、カバー部４３０を回転させて本体部４１０から離脱させ、接地部４５０の平坦面部が載置面１０に接触するように本体部４１０を載置する。このとき、本体部４１０がカバー部４３０に寄りかかるようにして、接地部４５０を含むカバー部４３０により本体部４１０を傾斜して起立するように支持する。
【００８０】
接地部４５０により支持された携帯電話機４００の表示部４２０の表示面と平行な面１は、載置面１０と角度αで交差する。
【００８１】
接地部４５０はカバー部４３０の骨格部分を構成する材料より大きな摩擦抵抗を有しているため、接地部４５０が設けられずにカバー部４３０と載置面１０とが接触している場合と比較して、本体部４１０は載置面１０に対して滑りにくい。そのため、接地部４５０を載置面１０に接触させて本体部４１０を支持させることにより、安定して携帯電話機４００を傾斜して起立させることができる。
【００８２】
なお、本体部４１０は、図２３に示すように角度αで傾斜している際に起立可能な位置に重心を有するように、予め設計されている。
【００８３】
上記の構成により、カバー部４３０を回転させて接地部４５０の平坦面部を載置面１０に接触させつつ、本体部４１０をカバー部４３０に寄りかけるように携帯電話機４００を載置するだけで、携帯電話機４００を容易に傾斜して起立させることができる。
【００８４】
今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８５】
１０  載置面、１００，２００，３００，４００  携帯電話機、１１０，１１０ｄ，２１０，３１０，４１０  本体部、１２０，２２０，３２０，４２０  表示部、１３０，２３０，３３０，４３０  カバー部、１４０，１４０ｄ  膨出部、１５０，１５０ａ，１５０ｂ，１５０ｃ，１５０ｄ，２５０，３５０，４５０  接地部、１５１ａ，１５１ｂ，１５１ｃ  凸部、１５１ｄ  １面部、１５２ａ，１５２ｂ，１５２ｃ  凹部、２４０，３４０，４４０  蝶番。
【図１】
2014049876.tif 000003
【図２】
2014049876.tif 000004
【図３】
2014049876.tif 000005
【図４】
2014049876.tif 000006
【図５】
2014049876.tif 000007
【図６】
2014049876.tif 000008
【図７】
2014049876.tif 000009
【図８】
2014049876.tif 000010
【図９】
2014049876.tif 000011
【図１０】
2014049876.tif 000012
【図１１】
2014049876.tif 000013
【図１２】
2014049876.tif 000014
【図１３】
2014049876.tif 000015
【図１４】
2014049876.tif 000016
【図１５】
2014049876.tif 000017
【図１６】
2014049876.tif 000018
【図１７】
2014049876.tif 000019
【図１８】
2014049876.tif 000020
【図１９】
2014049876.tif 000021
【図２０】
2014049876.tif 000022
【図２１】
2014049876.tif 000023
【図２２】
2014049876.tif 000024
【図２３】
2014049876.tif 000025